【手続補正書】
【提出日】平成16年1月28日(2004.1.28)
【手続補正１】
【補正対象書類名】明細書
【補正対象項目名】特許請求の範囲
【補正方法】変更
【補正の内容】
【特許請求の範囲】
【請求項１】
データパケットを送受することにより通話を行なう端末間の呼を中継する呼制御装置であって、
前記端末間で送受される接続制御メッセージを中継する接続制御メッセージ処理部と、前記データパケットを中継するデータパケット処理部と、を有し、
前記接続制御メッセージ処理部は、
予め帯域確保された経路へ送出すべきデータパケットの宛先アドレスを監視対象アドレスとして管理する監視対象アドレス管理手段と、
接続制御メッセージを受信する接続制御メッセージ受信手段と、
受信した接続制御メッセージを送信する接続制御メッセージ送信手段と、
受信した接続制御メッセージが接続を要求する着呼側の端末のアドレスが、前記管理されている監視対象アドレスである場合に、前記着呼側の端末アドレスを、前記データパケット処理部に通知するメッセージ解析手段と、を備え、
前記データパケット処理部は、
前記接続制御メッセージ処理部より通知された着呼側の端末アドレスを管理する制御対象アドレス管理手段と、
データパケットを受信するデータパケット受信手段と、
受信したデータパケットを送信するデータパケット送信手段と、
受信したデータパケットの送信先のアドレスが、前記管理されている着呼側の端末アドレスである場合に、当該データパケットが前記予め帯域確保された経路へ送出されるように、前記データパケット送信手段を制御する中継制御手段と、を備えること
を特徴とする呼制御装置。
【請求項２】
請求項１記載の呼制御装置であって、
前記データパケット処理部は、
通話を行なう両端末の一方が所属する第１のネットワークと、他方が所属する第２のネットワークとの間を行き来する全てのデータパケットが、前記データパケット受信手段で受信されるように設置されること
を特徴とする呼制御装置。
【請求項３】
データパケットを送受することにより通話を行なう端末間の呼を中継する呼制御装置であって、
前記端末間で送受される接続制御メッセージを中継する接続制御メッセージ処理部と、前記端末間で送受されるデータパケットを中継するデータパケット処理部と、を有し、
前記接続制御メッセージ処理部は、
予め帯域確保された経路へ送出すべきデータパケットの宛先アドレスを監視対象アドレスとして管理する監視対象アドレス管理手段と、
接続制御メッセージを受信する接続制御メッセージ受信手段と、
前記接続制御メッセージ受信手段が受信した接続制御メッセージを送信する接続制御メッセージ送信手段と、
前記接続制御メッセージ受信手段が受信した接続制御メッセージの内容を解析し、その結果、当該接続制御メッセージが接続を要求する着呼側の端末のアドレスが、前記監視対象アドレス管理手段で管理されている監視対象アドレスである場合に、当該接続制御メッセージが接続を要求する発呼側および着呼側の端末アドレスを、前記データパケット処理部に通知すると共に、前記発呼側および着呼側の端末各々が通話のために送信するデータパケットの宛先が、前記データパケット処理部となるように、当該接続制御メッセージのメッセージ内容を書き換えるメッセージ解析手段と、を備え、
前記データパケット処理部は、
前記接続制御メッセージ処理部より通知された発呼側および着呼側の端末アドレスを管理する制御対象アドレス管理手段と、
データパケットを受信するデータパケット受信手段と、
前記データパケット受信手段が受信したデータパケットを送信するデータパケット送信手段と、
前記データパケット受信手段が受信したデータパケットのヘッダ情報を解析し、その結果、当該データパケットの送信元のアドレスが、前記制御対象アドレス管理手段で管理されている着呼側の端末アドレスである場合は、当該データパケットの送信先のアドレスを、前記着呼側の端末アドレスと対で管理されている発呼側の端末アドレスに書き換え、その一方、当該データパケットの送信元のアドレスが、前記制御対象アドレス管理手段で管理されている発呼側の端末アドレスである場合は、当該データパケットの送信先のアドレスを、前記発呼側の端末アドレスと対で管理されている着呼側の端末アドレスに書き換えると共に、このデータパケットが前記予め帯域確保された経路へ送出されるように、前記データパケット送信手段を制御する中継制御手段と、を備えること
を特徴とする呼制御装置。
【請求項４】
請求項１、２または３記載の呼制御装置であって、
前記データパケット処理部の前記データパケット送信手段は、
前記予め帯域確保された経路へ送出するデータパケットに、経路識別用のラベル付けを行うこと
を特徴とする呼制御装置。
【請求項５】
データパケットを送受することにより通話を行なう端末間の呼を中継する呼制御装置であって、
前記端末間で送受される接続制御メッセージを中継する接続制御メッセージ処理部と、前記端末間で送受されるデータパケットを中継するデータパケット処理部と、を有し、
前記接続制御メッセージ処理部は、
ＮＡＴ（Network Address Translation）を介してプライベートアドレス空間からグローバルアドレス空間へ送出されるデータパケットの宛先アドレスを監視対象アドレスとして管理する監視対象アドレス管理手段と、
接続制御メッセージを受信する接続制御メッセージ受信手段と、
前記接続制御メッセージ受信手段が受信した接続制御メッセージを送信する接続制御メッセージ送信手段と、
前記接続制御メッセージ受信手段が受信した接続制御メッセージの内容を解析し、その結果、当該接続制御メッセージが接続を要求する着呼側の端末のアドレスが、前記監視対象アドレス管理手段で管理されている監視対象アドレスである場合に、当該接続制御メッセージが接続を要求する発呼側端末のプライベートアドレスおよび着呼側端末のグローバルアドレスを、前記データパケット処理部に通知すると共に、前記発呼側および着呼側の端末各々が通話のために送信するデータパケットの宛先が、前記データパケット処理部となるように、当該接続制御メッセージのメッセージ内容を書き換えるメッセージ解析手段と、を備え、
前記データパケット処理部は、
前記接続制御メッセージ処理部より通知された発呼側端末のプライベートアドレスおよび着呼側端末のグローバルアドレスを管理する制御対象アドレス管理手段と、
データパケットを受信するデータパケット受信手段と、
前記データパケット受信手段が受信したデータパケットを送信するデータパケット送信手段と、
前記データパケット受信手段が受信したデータパケットのヘッダ情報を解析し、その結果、当該データパケットの送信元のアドレスが、前記制御対象アドレス管理手段で管理されている着呼側端末のグローバルアドレスである場合は、当該データパケットの送信先のアドレスを、前記着呼側端末のグローバルアドレスと対で管理されている発呼側端末のプライベートアドレスに書き換え、その一方、当該データパケットの送信元のアドレスが、前記制御対象アドレス管理手段で管理されている発呼側端末のプライベートアドレスである場合は、当該データパケットの送信先のアドレスを、前記発呼側端末のプライベートアドレスと対で管理されている着呼側端末のグローバルアドレスに書き換える中継制御手段と、を備えること
を特徴とする呼制御装置。
【請求項６】
請求項１、２、３、４または５記載の呼制御装置であって、
前記接続制御メッセージ処理部および前記データパケット処理部は、それぞれ別個の独立した装置であること
を特徴とする呼制御装置。
【請求項７】
請求項１、２、３、４または５記載の呼制御装置であって、
前記接続制御メッセージ処理部および前記データパケット処理部は、同じ装置上に構築されていること
を特徴とする呼制御装置。
【請求項８】
データパケットを送受することにより通話を行なう端末間の呼を中継する呼制御方法であって、
接続制御メッセージを受信してその内容を解析し、その結果、当該接続制御メッセージが接続を要求する着呼側の端末のアドレスが、予め帯域確保された経路へ送出すべきデータパケットの宛先アドレスとして登録されているアドレスならば、前記着呼側の端末アドレスを制御対象アドレスとして管理するステップと、
データパケットを受信してヘッダ情報を解析し、その結果、当該データパケットの送信先のアドレスが、前記制御対象アドレスであるならば、当該データパケットが前記予め帯域確保された経路へ送出されるように、当該データパケットの中継を制御するステップと、を有すること
を特徴とする呼制御方法。
【請求項９】
データパケットを送受することにより通話を行なう端末間の呼を中継する呼制御方法であって、
接続制御メッセージを受信してその内容を解析し、その結果、当該接続制御メッセージが接続を要求する着呼側の端末のアドレスが、予め帯域確保された経路へ送出すべきデータパケットの宛先アドレスとして登録されているアドレスならば、当該接続制御メッセージが接続を要求する発呼側および着呼側の端末アドレスを制御対象アドレスとして管理すると共に、前記発呼側および着呼側の端末各々が通話のために送信するデータパケットを受信できるように、当該接続制御メッセージのメッセージ内容を書き換えるステップと、
データパケットを受信してヘッダ情報を解析し、その結果、当該データパケットの送信元のアドレスが、前記制御対象アドレスとして管理されている着呼側の端末アドレスであるならば、当該データパケットの送信先のアドレスを、前記着呼側の端末アドレスと対で管理されている発呼側の端末アドレスに書き換えてから、当該データパケットを送信し、その一方、当該データパケットの送信元のアドレスが、前記制御対象アドレスとして管理されている発呼側の端末アドレスであるならば、当該データパケットの送信先のアドレスを、前記発呼側の端末アドレスと対で管理されている着呼側の端末アドレスに書き換えると共に、このデータパケットが前記予め帯域確保された経路へ送出されるように中継を制御するステップと、を有すること
を特徴とする呼制御方法。
【請求項１０】
データパケットを送受することにより通話を行なう端末間の呼を中継する呼制御方法であって、
接続制御メッセージを受信してその内容を解析し、その結果、当該接続制御メッセージが接続を要求する着呼側の端末のアドレスが、ＮＡＴ（Network Address Translation）を介してプライベートアドレス空間からグローバルアドレス空間へ送出されるデータパケットの宛先アドレスとして登録されているアドレスならば、当該接続制御メッセージが接続を要求する発呼側端末のプライベートアドレスおよび着呼側端末のグローバルアドレスを制御対象アドレスとして管理すると共に、前記発呼側および着呼側の端末各々が通話のために送信するデータパケットを受信できるように、当該接続制御メッセージのメッセージ内容を書き換えるステップと、
データパケットを受信してヘッダ情報を解析し、その結果、当該データパケットの送信元のアドレスが、前記制御対象アドレスとして管理されている着呼側端末のグローバルアドレスであるならば、当該データパケットの送信先のアドレスを、前記着呼側端末のグローバルアドレスと対で管理されている発呼側端末のプライベートアドレスに書き換えてから、当該データパケットを送信し、その一方、当該データパケットの送信元のアドレスが、前記制御対象アドレスとして管理されている発呼側端末のプライベートアドレスであるならば、当該データパケットの送信先のアドレスを、前記発呼側端末のプライベートアドレスと対で管理されている着呼側端末のグローバルアドレスに書き換えてから、当該データパケットを送信するように中継を制御するステップと、を有すること
を特徴とする呼制御方法。